(57)【要約】      （修正有）【課題】撮像条件の設定情報を携帯端末により持ち出すことができる磁気共鳴イメージングシステム、磁気共鳴イメージング装置及び携帯端末を提供する。【解決手段】磁気共鳴イメージングシステムは、磁気共鳴イメージング装置としてのＭＲＩ装置１００と、前記磁気共鳴イメージング装置と通信可能に接続される携帯端末としてのモバイル端末２００とを備える。前記磁気共鳴イメージング装置は、プロトコル群記憶部と、送受信部とを備える。前記プロトコル群記憶部は、撮像条件のプリセット情報を含むパルスシーケンス情報であるプロトコル情報を、複数記憶する。前記送受信部は、前記携帯端末との間で、プロトコル情報を送受信する。前記携帯端末は、送受信部を備える。前記送受信部は、前記プロトコル群記憶部に格納されたプロトコルを、前記磁気共鳴イメージング装置からダウンロードして端末側記憶部に格納する。【選択図】図２
2014210081.tif 000002
【特許請求の範囲】
【請求項１】
磁気共鳴イメージング装置は、
撮像条件のプリセット情報を含むパルスシーケンス情報であるプロトコル情報を、複数記憶するプロトコル群記憶部と、
前記磁気共鳴イメージング装置と通信可能に接続される携帯端末との間で、プロトコル情報を送受信する送受信部とを備え、
前記携帯端末は、
前記プロトコル群記憶部に格納されたプロトコル情報を、前記磁気共鳴イメージング装置からダウンロードして端末側記憶部に格納する送受信部
を備えたことを特徴とする磁気共鳴イメージングシステム。
【請求項２】
前記磁気共鳴イメージング装置は、それぞれ異なる医療機関に設置された第１磁気共鳴イメージング装置及び第２磁気共鳴イメージング装置であって、
前記携帯端末の送受信部は、
前記第１磁気共鳴イメージング装置のプロトコル群記憶部に格納されたプロトコル情報を、前記第１磁気共鳴イメージング装置からダウンロードして端末側記憶部に格納するとともに、前記端末側記憶部に格納されたプロトコル情報を、前記第２磁気共鳴イメージング装置にアップロードすることを特徴とする請求項１に記載の磁気共鳴イメージングシステム。
【請求項３】
前記磁気共鳴イメージング装置の送受信部と前記携帯端末の送受信部との間において、プロトコル情報を送受信する前に所定の情報を送受信し、該所定の情報に基づいて、送受信の対象とするプロトコル情報を絞り込むことを特徴とする請求項１又は２に記載の磁気共鳴イメージングシステム。
【請求項４】
前記磁気共鳴イメージング装置の送受信部は、
前記携帯端末に対してプロトコル情報をダウンロードさせる場合に、前記プロトコル情報とともに、前記プロトコル情報の属性情報をダウンロードさせ、
前記携帯端末の送受信部は、
前記プロトコル情報と前記属性情報とを対応付けて、前記端末側記憶部に格納することを特徴とする請求項１〜３のいずれか１つに記載の磁気共鳴イメージングシステム。
【請求項５】
前記磁気共鳴イメージング装置の送受信部は、
前記携帯端末からプロトコル情報をアップロードされる場合に、前記プロトコル情報に対応付けられた属性情報と、前記磁気共鳴イメージング装置の属性情報とを対比し、属性情報が適合しないプロトコル情報のアップロードを制限することを特徴とする請求項１〜４のいずれか１つに記載の磁気共鳴イメージングシステム。
【請求項６】
前記磁気共鳴イメージング装置は、
前記プロトコル群記憶部に記憶された複数のプロトコル情報のうち、前記携帯端末に対するダウンロードを許容するプロトコル情報の選択を受け付ける選択部と、
前記選択部によって選択されたプロトコル情報を、前記プロトコル群記憶部とは異なるダウンロード用記憶部に格納する格納部とを備え、
前記携帯端末の送受信部は、
前記ダウンロード用記憶部に格納されたプロトコル情報を、前記磁気共鳴イメージング装置からダウンロードして端末側記憶部に格納することを特徴とする請求項１〜５のいずれか１つに記載の磁気共鳴イメージングシステム。
【請求項７】
前記磁気共鳴イメージング装置の格納部は、
前記プロトコル群記憶部に実行形式で記憶されたプロトコル情報を、テキスト形式に変換してから、前記ダウンロード用記憶部に格納することを特徴とする請求項６に記載の磁気共鳴イメージングシステム。
【請求項８】
前記磁気共鳴イメージング装置は、
前記携帯端末によってアップロードされたプロトコル情報を、前記プロトコル群記憶部とは異なるアップロード用記憶部に格納する格納部を備えることを特徴とする請求項１〜７のいずれか１つに記載の磁気共鳴イメージングシステム。
【請求項９】
前記磁気共鳴イメージング装置の送受信部は、
前記携帯端末から接続要求を受け付けた場合に、前記携帯端末の正当性を認証することを特徴とする請求項１〜８のいずれか１つに記載の磁気共鳴イメージングシステム。
【請求項１０】
撮像条件のプリセット情報を含むパルスシーケンス情報であるプロトコル情報を、複数記憶するプロトコル群記憶部と、
前記プロトコル群記憶部に記憶された複数のプロトコル情報のうち、携帯端末に対するダウンロードを許容するプロトコル情報の選択を受け付ける選択部と、
前記選択部によって選択されたプロトコル情報を、前記プロトコル群記憶部とは異なるダウンロード用記憶部に格納する格納部と
通信可能に接続される携帯端末に対して、前記ダウンロード用記憶部に記憶されたプロトコル情報を送信する送信部と
を備えたことを特徴とする磁気共鳴イメージング装置。
【請求項１１】
第１磁気共鳴イメージング装置のプロトコル群記憶部に格納された、撮像条件のプリセット情報を含むパルスシーケンス情報であるプロトコル情報を、前記第１磁気共鳴イメージング装置からダウンロードして端末側記憶部に格納するとともに、前記端末側記憶部に格納されたプロトコル情報を、第２磁気共鳴イメージング装置にアップロードする送受信部
を備えたことを特徴とする携帯端末。
【発明の詳細な説明】
【技術分野】
【０００１】
本発明の実施形態は、磁気共鳴イメージングシステム、磁気共鳴イメージング装置及び携帯端末に関する。
【背景技術】
【０００２】
磁気共鳴イメージングは、静磁場中に置かれた被検体の原子核スピンを、そのラーモア（Larmor）周波数のＲＦ（Radio  Frequency）パルスで磁気的に励起し、この励起に伴って発生する磁気共鳴信号から画像を生成する撮像法である。
【０００３】
この磁気共鳴イメージングによる検査には、各種プリスキャンやイメージングスキャンといった、一連のパルスシーケンス群が含まれる。また、各パルスシーケンスには、ＴＲ（Repetition  Time）やＴＥ（Echo  Time）、ＦＡ（Flip  Angle）等の撮像条件が設定され、磁気共鳴イメージング装置（以下、「ＭＲＩ（Magnetic  Resonance  Imaging）装置」）は、この設定情報に従いながら、一連のパルスシーケンス群を順次実行する。
【０００４】
ところで、従来のＭＲＩ装置では、撮像条件の事前設定情報（プリセット情報）を含むパルスシーケンス情報を、「プロトコル」として管理し、提供している。例えば、医師や技師等の操作者は、検査の撮像計画を立てる際、ＭＲＩ装置が管理、提供するプロトコル群を撮像計画画面上に読み出し、プリセットされた設定情報を必要に応じて変更しながら、これらを撮像計画に組み入れる。
【先行技術文献】
【特許文献】
【０００５】
【特許文献１】特開２００５−２５３５７４号公報
【発明の概要】
【発明が解決しようとする課題】
【０００６】
本発明が解決しようとする課題は、撮像条件の設定情報を携帯端末により持ち出すことができる磁気共鳴イメージングシステム、磁気共鳴イメージング装置及び携帯端末を提供することである。
【課題を解決するための手段】
【０００７】
実施形態に係る磁気共鳴イメージングシステムは、磁気共鳴イメージング装置と、前記磁気共鳴イメージング装置と通信可能に接続される携帯端末とを備える。前記磁気共鳴イメージング装置は、プロトコル群記憶部と、送受信部とを備える。前記プロトコル群記憶部は、撮像条件のプリセット情報を含むパルスシーケンス情報であるプロトコル情報を、複数記憶する。前記送受信部は、前記携帯端末との間で、プロトコル情報を送受信する。前記携帯端末は、送受信部を備える。前記送受信部は、前記プロトコル群記憶部に格納されたプロトコルを、前記磁気共鳴イメージング装置からダウンロードして端末側記憶部に格納する。
【図面の簡単な説明】
【０００８】
【図１】図１は、第１の実施形態に係るＭＲＩ装置の構成を示す機能ブロック図。
【図２】図２は、第１の実施形態に係るＭＲＩシステムの構成を示す機能ブロック図。
【図３】図３は、第１の実施形態におけるプロトコル情報のダウンロード（準備）手順を示すシーケンス図。
【図４】図４は、第１の実施形態におけるプロトコル選択画面（ＭＲＩ装置側）を説明するための図。
【図５】図５は、第１の実施形態におけるプロトコル情報のダウンロード手順を示すシーケンス図。
【図６】図６は、第１の実施形態におけるプロトコル選択画面（モバイル端末側）を説明するための図。
【図７】図７は、第１の実施形態におけるプロトコル情報のアップロード手順を示すシーケンス図。
【図８】図８は、第１の実施形態におけるＲＦコイルリストを説明するための図。
【図９】図９は、第１の実施形態におけるプロトコル情報のインポート手順を示すシーケンス図。
【図１０】図１０は、第１の実施形態におけるインポート画面を説明するための図。
【発明を実施するための形態】
【０００９】
以下、図面を参照しながら、実施形態に係る磁気共鳴イメージングシステム、磁気共鳴イメージング装置及び携帯端末を説明する。なお、実施形態は、以下の実施形態に限られるものではない。また、各実施形態において説明する内容は、原則として、他の実施形態においても同様に適用することができる。
【００１０】
（第１の実施形態）
図１は、第１の実施形態に係るＭＲＩ装置１００の構成を示す機能ブロック図である。図１に示すように、ＭＲＩ装置１００は、静磁場磁石１０１と、静磁場電源１０２と、傾斜磁場コイル１０３と、傾斜磁場電源１０４と、寝台１０５と、寝台制御部１０６と、送信コイル１０７と、送信部１０８と、受信コイル１０９と、受信部１１０と、シーケンス制御部１２０と、計算機１３０とを備える。なお、ＭＲＩ装置１００に、被検体Ｐ（例えば、人体）は含まれない。また、図１に示す構成は一例に過ぎない。例えば、シーケンス制御部１２０及び計算機１３０内の各部は、適宜統合若しくは分離して構成されてもよい。
【００１１】
静磁場磁石１０１は、中空の円筒形状に形成された磁石であり、内部の空間に静磁場を発生する。静磁場磁石１０１は、例えば、超伝導磁石等であり、静磁場電源１０２から電流の供給を受けて励磁する。静磁場電源１０２は、静磁場磁石１０１に電流を供給する。なお、静磁場磁石１０１は、永久磁石でもよく、この場合、ＭＲＩ装置１００は、静磁場電源１０２を備えなくてもよい。また、静磁場電源１０２は、ＭＲＩ装置１００とは別に備えられてもよい。
【００１２】
傾斜磁場コイル１０３は、中空の円筒形状に形成されたコイルであり、静磁場磁石１０１の内側に配置される。傾斜磁場コイル１０３は、互いに直交するＸ、Ｙ、及びＺの各軸に対応する３つのコイルが組み合わされて形成されており、これら３つのコイルは、傾斜磁場電源１０４から個別に電流の供給を受けて、Ｘ、Ｙ、及びＺの各軸に沿って磁場強度が変化する傾斜磁場を発生する。傾斜磁場コイル１０３によって発生するＸ、Ｙ、及びＺの各軸の傾斜磁場は、例えば、スライス用傾斜磁場Ｇs、位相エンコード用傾斜磁場Ｇe、及び読み出し用傾斜磁場Ｇrである。傾斜磁場電源１０４は、傾斜磁場コイル１０３に電流を供給する。
【００１３】
寝台１０５は、被検体Ｐが載置される天板１０５ａを備え、寝台制御部１０６による制御の下、天板１０５ａを、被検体Ｐが載置された状態で、傾斜磁場コイル１０３の空洞（撮像口）内へ挿入する。通常、寝台１０５は、長手方向が静磁場磁石１０１の中心軸と平行になるように設置される。寝台制御部１０６は、計算機１３０による制御の下、寝台１０５を駆動して天板１０５ａを長手方向及び上下方向へ移動する。
【００１４】
送信コイル１０７は、傾斜磁場コイル１０３の内側に配置され、送信部１０８からＲＦパルスの供給を受けて、高周波磁場を発生する。送信部１０８は、対象とする原子の種類及び磁場強度で定まるラーモア周波数に対応するＲＦパルスを送信コイル１０７に供給する。
【００１５】
受信コイル１０９は、傾斜磁場コイル１０３の内側に配置され、高周波磁場の影響によって被検体Ｐから発せられる磁気共鳴信号（以下、適宜「ＭＲ信号」）を受信する。受信コイル１０９は、ＭＲ信号を受信すると、受信したＭＲ信号を受信部１１０へ出力する。
【００１６】
なお、上述した送信コイル１０７及び受信コイル１０９は一例に過ぎない。送信機能のみを備えたコイル、受信機能のみを備えたコイル、若しくは送受信機能を備えたコイルのうち、１つ若しくは複数を組み合わせることによって構成されればよい。
【００１７】
受信部１１０は、受信コイル１０９から出力されるＭＲ信号を検出し、検出したＭＲ信号に基づいてＭＲデータを生成する。具体的には、受信部１１０は、受信コイル１０９から出力されるＭＲ信号をデジタル変換することによってＭＲデータを生成する。また、受信部１１０は、生成したＭＲデータをシーケンス制御部１２０へ送信する。なお、受信部１１０は、静磁場磁石１０１や傾斜磁場コイル１０３等を備える架台装置側に備えられてもよい。
【００１８】
シーケンス制御部１２０は、計算機１３０から送信されるシーケンス情報に基づいて、傾斜磁場電源１０４、送信部１０８及び受信部１１０を駆動することによって、被検体Ｐの撮像を行う。ここで、シーケンス情報は、撮像を行うための手順を定義した情報である。シーケンス情報には、傾斜磁場電源１０４が傾斜磁場コイル１０３に供給する電流の強さや電流を供給するタイミング、送信部１０８が送信コイル１０７に供給するＲＦパルスの強さやＲＦパルスを印加するタイミング、受信部１１０がＭＲ信号を検出するタイミング等が定義される。例えば、シーケンス制御部１２０は、ＡＳＩＣ（Application  Specific  Integrated  Circuit）、ＦＰＧＡ（Field  Programmable  Gate  Array）等の集積回路、ＣＰＵ（Central  Processing  Unit）、ＭＰＵ（Micro  Processing  Unit）等の電子回路である。
【００１９】
シーケンス制御部１２０は、傾斜磁場電源１０４、送信部１０８及び受信部１１０を駆動して被検体Ｐを撮像した結果、受信部１１０からＭＲデータを受信すると、受信したＭＲデータを計算機１３０へ転送する。
【００２０】
計算機１３０は、ＭＲＩ装置１００の全体制御や、画像の生成等を行う。計算機１３０は、インタフェース部１３１、記憶部１３２、制御部１３３、入力部１３４、表示部１３５、及び画像生成部１３６を備える。
【００２１】
インタフェース部１３１は、シーケンス情報をシーケンス制御部１２０へ送信し、シーケンス制御部１２０からＭＲデータを受信する。また、インタフェース部１３１は、ＭＲデータを受信すると、受信したＭＲデータを記憶部１３２に格納する。記憶部１３２に格納されたＭＲデータは、制御部１３３によってｋ空間に配置される。
【００２２】
記憶部１３２は、インタフェース部１３１によって受信されたＭＲデータや、制御部１３３によってｋ空間に配置されたｋ空間データ、画像生成部１３６によって生成された画像データ等を記憶する。例えば、記憶部１３２は、ＲＡＭ（Random  Access  Memory）、フラッシュメモリ等の半導体メモリ素子、ハードディスク、光ディスク等である。
【００２３】
入力部１３４は、操作者からの各種指示や情報入力を受け付ける。入力部１３４は、例えば、マウスやトラックボール等のポインティングデバイス、あるいはキーボード等の入力デバイスである。表示部１３５は、制御部１３３による制御の下、スペクトラムデータや画像データ等の各種の情報を表示する。表示部１３５は、例えば、液晶ディスプレイ等の表示デバイスである。
【００２４】
制御部１３３は、ＭＲＩ装置１００の全体制御を行う。具体的には、制御部１３３は、入力部１３４を介して操作者から入力される撮像条件に基づいてシーケンス情報を生成し、生成したシーケンス情報をシーケンス制御部１２０へ送信することによって撮像を制御する。また、制御部１３３は、ＭＲデータに基づいて行われる画像の生成を制御したり、表示部１３５による表示を制御したりする。また、制御部１３３は、受信部１１０によって生成されたＭＲデータを記憶部１３２から読み出し、ｋ空間に配置する。例えば、制御部１３３は、ＡＳＩＣ、ＦＰＧＡ等の集積回路、ＣＰＵ、ＭＰＵ等の電子回路である。
【００２５】
画像生成部１３６は、制御部１３３によってｋ空間に配置されたｋ空間データを記憶部１３２から読み出し、読み出したｋ空間データに２次元フーリエ変換等の再構成処理を施すことで、画像を生成する。
【００２６】
図２は、第１の実施形態に係るＭＲＩシステムの構成を示す機能ブロック図である。図２に示すように、ＭＲＩシステムは、ＭＲＩ装置１００と、モバイル端末２００とを備え、これらが通信可能に接続されて、プロトコル情報を送受信する。なお、図２においては、ＭＲＩ装置１００のうち、計算機１３０が備える一部の部のみを図示する。
【００２７】
まず、ＭＲＩ装置１００側の構成を説明する。図２に示すように、記憶部１３２は、プロトコル群記憶部１３２ａと、ダウンロード用一時フォルダ１３２ｂと、アップロード用一時フォルダ１３２ｃとを備える。また、制御部１３３は、プロトコル選択部１３３ａと、データ形式変換部１３３ｂと、データ送受信部１３３ｃと、無線ＬＡＮ（Local  Area  Network）インタフェース１３３ｄとを備える。
【００２８】
プロトコル群記憶部１３２ａは、撮像条件のプリセット情報を含む、パルスシーケンス情報群、即ちプロトコル群を記憶する。このプロトコル群は、例えば、撮像部位から分岐するようにグループ分けされた階層構造で管理される。例えば、撮像部位「胸部」のグループには、撮像部位を「胸部」とする様々な種類の撮像が含まれる。また、ある１つの種類の撮像のグループには、その撮像で実行され得るプリスキャンやイメージングスキャンといったスキャン群（プロトコル群）が含まれる。そして、そのうちの１つのスキャンのグループには、ＴＲ、ＴＥ、ＦＡ等、各種撮像条件の設定情報が含まれる。プロトコル群記憶部１３２ａは、これらのプロトコル群を、実行形式（例えば、バイナリ形式）で記憶する。
【００２９】
ダウンロード用一時フォルダ１３２ｂは、プロトコル群記憶部１３２ａに記憶されたプロトコル群のうち、モバイル端末２００に対するダウンロードが許容されたプロトコルのプロトコル情報を一時的に格納するフォルダである。どのプロトコルのダウンロードを許容するかは、プロトコル選択部１３３ａによって選択される。また、ダウンロード用一時フォルダ１３２ｂは、ダウンロード対象のプロトコル情報を、閲覧可能なテキスト形式で記憶する。なお、ダウンロード用一時フォルダ１３２ｂは、モバイル端末２００に対してプロトコル情報がダウンロードされた後、直ちに、ダウンロード対象のプロトコル情報を削除してもよいし、あるいは、一定期間経過後に削除してもよい。
【００３０】
アップロード用一時フォルダ１３２ｃは、モバイル端末２００からアップロードされたプロトコル情報を一時的に格納するフォルダである。アップロード用一時フォルダ１３２ｃに格納されたプロトコル情報は、その後、プロトコル選択部１３３ａにより、必要に応じて、プロトコル群記憶部１３２ａに格納される。また、アップロード用一時フォルダ１３２ｃは、アップロードされたプロトコル情報を、閲覧可能なテキスト形式で記憶する。なお、アップロード用一時フォルダ１３２ｃは、プロトコル群記憶部１３２ａにプロトコル情報が格納された後、直ちに、アップロードされたプロトコル情報を削除してもよいし、あるいは、一定期間経過後に削除してもよい。
【００３１】
プロトコル選択部１３３ａは、どのプロトコルのダウンロードを許容するかを操作者に選択させるためのＧＵＩ（Graphical  User  Interface）を表示部１３５に表示し、ＧＵＩ上で受け付けた選択情報を、データ形式変換部１３３ｂに通知する。また、プロトコル選択部１３３ａは、アップロード用一時フォルダ１３２ｃに格納されたプロトコル情報のうち、どのプロトコルをプロトコル群記憶部１３２ａにインポートするかを操作者に選択させるためのＧＵＩを表示部１３５に表示し、ＧＵＩ上で受け付けた選択情報を、データ形式変換部１３３ｂに通知する。
【００３２】
データ形式変換部１３３ｂは、プロトコル選択部１３３ａから通知された選択情報に従って、該当するプロトコル情報をプロトコル群記憶部１３２ａから読み出し、そのデータ形式を、実行形式からテキスト形式に変換する。そして、データ形式変換部１３３ｂは、テキスト形式に変換後のプロトコル情報を、ダウンロード用一時フォルダ１３２ｂに格納する。また、データ形式変換部１３３ｂは、プロトコル選択部１３３ａから通知された選択情報に従って、該当するプロトコル情報をアップロード用一時フォルダ１３２ｃから読み出し、そのデータ形式を、テキスト形式から実行形式に変換する。そして、データ形式変換部１３３ｂは、実行形式に変換後のプロトコル情報を、プロトコル群記憶部１３２ａに格納する。
【００３３】
データ送受信部１３３ｃは、無線ＬＡＮインタフェース１３３ｄを介してモバイル端末２００からの接続要求を受け付け、モバイル端末２００との間でプロトコル情報を送受信する。また、データ送受信部１３３ｃは、このモバイル端末２００の接続要求を受け付けるにあたり、モバイル端末２００の認証を行う。
【００３４】
また、データ送受信部１３３ｃは、モバイル端末２００に対してプロトコル情報をダウンロードする場合には、まず、ダウンロード用一時フォルダ１３２ｂに格納されたプロトコルの一覧をモバイル端末２００に送信し、続いて、モバイル端末２００の操作者によって選択されたプロトコルのプロトコル情報を、モバイル端末２００に送信する。
【００３５】
また、データ送受信部１３３ｃは、モバイル端末２００からプロトコル情報をアップロードされる場合には、ＭＲＩ装置１００の属性情報をモバイル端末２００に送信することで、モバイル端末２００に対して、ＭＲＩ装置１００に適合しないプロトコル情報を送信しないように制御する。
【００３６】
続いて、モバイル端末２００側の構成を説明する。モバイル端末２００は、携帯可能な情報処理端末のことであり、タブレットＰＣ（Personal  Computer）、スマートフォン、ＰＤＡ（Personal  Digital  Assistant）、携帯ゲーム機、ノートＰＣ等である。モバイル端末２００は、図２に示すように、入力部２１０と、表示部２２０と、記憶部２３０と、制御部２４０とを備える。
【００３７】
記憶部２３０は、プロトコル群格納フォルダ２３０ａを備える。プロトコル群格納フォルダ２３０ａは、ＭＲＩ装置１００からダウンロードしたプロトコル情報を格納するフォルダである。また、プロトコル群格納フォルダ２３０ａに格納されたプロトコル情報は、必要に応じて、他のＭＲＩ装置１００にアップロードされる。また、プロトコル群格納フォルダ２３０ａは、プロトコル情報を、閲覧可能なテキスト形式で記憶する。
【００３８】
プロトコル選択部２４０ａは、ダウンロード用一時フォルダ１３２ｂに格納されたプロトコル情報の一覧をＭＲＩ装置１００から受信すると、この一覧からダウンロード対象のプロトコルを操作者に選択させるためのＧＵＩを表示部２２０に表示し、ＧＵＩ上で受け付けた選択情報を、データ送受信部２４０ｂに通知する。また、プロトコル選択部２４０ａは、プロトコル群格納フォルダ２３０ａに格納されたプロトコル群のうち、どのプロトコルをＭＲＩ装置１００にアップロードするかを操作者に選択させるためのＧＵＩを表示部２２０に表示し、ＧＵＩ上で受け付けた選択情報を、データ送受信部２４０ｂに通知する。
【００３９】
また、プロトコル選択部２４０ａは、データ送受信部２４０ｂを介してＭＲＩ装置１００の属性情報を受け取った場合には、ＭＲＩ装置１００に適合しないプロトコル情報を送信しないよう、アップロード対象のプロトコルを絞り込んだ上で、上述したＧＵＩを表示部２２０に表示する。
【００４０】
データ送受信部２４０ｂは、無線ＬＡＮインタフェース２４０ｃを介してＭＲＩ装置１００に対する接続要求を行い、ＭＲＩ装置１００との間でプロトコル情報を送受信する。また、データ送受信部２４０ｂは、ＭＲＩ装置１００からＭＲＩ装置１００の属性情報を受信した場合には、これをプロトコル選択部２４０ａに通知する。
【００４１】
なお、上述した無線ＬＡＮは、例えばＭＲＩ装置１００の無線ＬＡＮインタフェースが親機として機能し、院内のＬＡＮとは接続しない独立のＬＡＮとして構成されることが、セキュリティ上の観点からは望ましい。
【００４２】
（ダウンロード）
図３は、第１の実施形態におけるプロトコル情報のダウンロード（準備）手順を示すシーケンス図である。なお、第１の実施形態においては、ダウンロードにあたり、まず、ＭＲＩ装置１００側でダウンロードの準備を行う。具体的には、プロトコル情報群全体の中から、ダウンロードを許容するプロトコル情報を選別する処理を行う。
【００４３】
図３に示すように、ＭＲＩ装置１００のプロトコル選択部１３３ａは、どのプロトコル情報のダウンロードを許容するかを操作者に選択させるためのＧＵＩとして、プロトコル選択画面を、ＭＲＩ装置１００の表示部１３５に表示する（ステップＳ１０１）。プロトコル選択部１３３ａは、プロトコル群記憶部１３２ａに記憶されているプロトコル群に対する選択を、このプロトコル選択画面を介して、操作者から受け付ける。
【００４４】
図４は、第１の実施形態におけるプロトコル選択画面（ＭＲＩ装置１００側）を説明するための図である。例えば、図４に示すように、プロトコル選択画面には、左から順に、人体模型図上で撮像部位の選択を受け付ける領域１と、領域１で選択された撮像部位のグループに含まれる様々な種類の撮像の名称（以下、適宜「プロトコルタイトル」）を表示する領域２と、領域２で選択された種類の撮像で実行され得るスキャン群（プロトコル群）の一覧を表示する領域３とが含まれる。
【００４５】
プロトコル選択部１３３ａは、領域１上で撮像部位の選択を受け付けると（ステップＳ１０２）、領域２に、ステップＳ１０２で選択された撮像部位のグループに含まれるプロトコルタイトルの一覧を表示する（ステップＳ１０３）。例えば、操作者が、領域１上で「胸部」に対応する矩形を選択すると、「胸部」のグループに含まれる様々な種類のプロトコルタイトルの一覧が、領域２に表示される。
【００４６】
続いて、プロトコル選択部１３３ａは、領域２上でプロトコルタイトルの選択を受け付けると（ステップＳ１０４）、領域３に、ステップＳ１０４で選択されたプロトコルタイトルに含まれるスキャン群（プロトコル群）の一覧を表示する（ステップＳ１０５）。例えば、操作者が、領域２上で「Breast」を選択すると、このプロトコルタイトルの撮像で実行され得るスキャン群（プロトコル群）の一覧が、領域３に表示される。この一覧には、例えば、位置決め画像を収集するためのプロトコルや、感度マップを収集するためのプロトコル、シミングのためのプロトコル、各種イメージングのためのプロトコルが、それぞれ、１つ又は複数含まれる。
【００４７】
また、図４に示すように、各プロトコルには、そのプロトコルの名称に相当する「Ｓｃａｎ  ＩＤ」や、プロトコルの撮像時間である「Ｔｉｍｅ」、その他、ＴＲ、ＴＥ、ＦＡ、スライス数（ＮＳ（Number  Of  Slice））、ＦＯＶ（Field  Of  View）、スライス厚（ＳＴ（Slice  Thickness））等の各種撮像条件の設定情報が含まれる。
【００４８】
更に、第１の実施形態において、各プロトコルには、各プロトコルの属性情報が含まれる。属性情報とは、例えば、このプロトコルが適合するＭＲＩ装置１００のタイプ（磁場強度、製品グレード）、このプロトコルが適合するソフトウェアのバージョン、このプロトコルが要求するＲＦコイルの情報、プロトコルが設定された施設名等である。
【００４９】
次に、プロトコル選択部１３３ａは、領域３上で、１つ又は複数のプロトコルの選択を受け付け（ステップＳ１０６）、続いて、転送ボタンの押下を受け付ける（ステップＳ１０７）。例えば、操作者は、領域３に表示されたプロトコル群の一覧の中から、モバイル端末２００に対するダウンロードを許容する（若しくは、ダウンロードを希望する）プロトコルを１つ又は複数選択し、転送ボタンを押下する。
【００５０】
すると、プロトコル選択部１３３ａは、プロトコル選択画面上で受け付けた選択情報をデータ形式変換部１３３ｂに通知し、データ形式変換部１３３ｂが、該当するプロトコル情報をプロトコル群記憶部１３２ａから読み出し、そのデータ形式を、実行形式からテキスト形式に変換する（ステップＳ１０８）。そして、データ形式変換部１３３ｂは、テキスト形式に変換後のプロトコル情報を、ダウンロード用一時フォルダ１３２ｂに格納する（ステップＳ１０９）。
【００５１】
このように、第１の実施形態においては、ＭＲＩ装置１００からモバイル端末２００へのプロトコル情報のダウンロードにあたり、ＭＲＩ装置１００側で、ダウンロードを許容するプロトコルを選別する処理を行う。即ち、ダウンロード用一時フォルダ１３２ｂに格納されたプロトコル情報以外のプロトコル情報は、モバイル端末２００に提供されない。このように、第１の実施形態においては、セキュリティ上の観点から、ダウンロードを許容するプロトコル情報を、プロトコル群記憶部１３２ａとは異なる記憶部に一旦格納する手法をとる。
【００５２】
なお、プロトコルの選択の単位は、上述した例に限られるものではない。例えば、領域２に表示されるプロトコルタイトルを選択することで、モバイル端末２００に対するダウンロードを許容するプロトコルを選択してもよい。また、例えば、領域１に表示される撮像部位を選択することで、モバイル端末２００に対するダウンロードを許容するプロトコルを選択してもよい。また、図４に示すプロトコル選択画面は、説明の便宜上の一例に過ぎず、例えば、各領域に表示される情報は、運用の形態に応じて、任意に変更することができる。これらプロトコル選択の単位が任意である点や、各種ＧＵＩが任意に変更可能である点等は、以下、図５〜図１０を用いて説明する、ダウンロード、アップロード、インポートのいずれの場合も、同様である。
【００５３】
さて、図３及び図４を用いて、ＭＲＩ装置１００側で行われる、ダウンロードの準備を説明した。続いて、実際のダウンロードは、モバイル端末２００側からＭＲＩ装置１００に対してアクセスすることで開始される。
【００５４】
図５は、第１の実施形態におけるプロトコル情報のダウンロード手順を示すシーケンス図である。まず、モバイル端末２００のデータ送受信部２４０ｂが、無線ＬＡＮインタフェース２４０ｃを介して、ＭＲＩ装置１００に対する接続要求を行う（ステップＳ２０１）。
【００５５】
続いて、ＭＲＩ装置１００のデータ送受信部１３３ｃは、セキュリティ上の観点から、接続要求を受け付けたモバイル端末２００の正当性の認証を行う（ステップＳ２０２）。例えば、データ送受信部１３３ｃは、接続を許可するモバイル端末２００の識別情報を、予め記憶する。そして、データ送受信部１３３ｃは、接続要求を受け付けると、予め記憶した識別情報を参照し、接続要求を受け付けたモバイル端末２００が、この識別情報と一致するか否かを判定し、判定結果に基づいて、接続を許可する。識別情報とは、例えば、モバイル端末２００の電話番号や、製造番号、ＰＩＮ（Personal  Identification  Number）コード等である。
【００５６】
そして、データ送受信部１３３ｃは、モバイル端末２００の認証に成功すると、モバイル端末２００に対して、まず、ダウンロード用一時フォルダ１３２ｂに格納されたプロトコルの一覧をモバイル端末２００に送信する（ステップＳ２０３）。
【００５７】
一方、モバイル端末２００のプロトコル選択部２４０ａは、プロトコルの一覧をＭＲＩ装置１００から受信すると（ステップＳ２０４）、この一覧からダウンロード対象のプロトコルを操作者に選択させるためのＧＵＩとして、プロトコル選択画面を、モバイル端末２００の表示部２２０に表示する（ステップＳ２０５）。プロトコル選択部２４０ａは、ダウンロード対象のプロトコルの選択を、このプロトコル選択画面を介して、操作者から受け付ける。
【００５８】
図６は、第１の実施形態におけるプロトコル選択画面（モバイル端末２００側）を説明するための図である。例えば、図６に示すように、モバイル端末２００側のプロトコル選択画面にも、ＭＲＩ装置１００側のプロトコル選択画面と同様、右から順に、人体模型図上で撮像部位の選択を受け付ける領域１と、領域１で選択された撮像部位のグループに含まれる様々な種類のプロトコルタイトルを表示する領域２と、領域２で選択された種類の撮像で実行されるスキャン群（プロトコル群）の一覧を表示する領域３とが含まれる。
【００５９】
プロトコル選択部２４０ａは、領域１上で撮像部位の選択を受け付けると（ステップＳ２０６）、領域２に、ステップＳ２０６で選択された撮像部位のグループに含まれるプロトコルタイトルの一覧を表示する（ステップＳ２０７）。続いて、プロトコル選択部２４０ａは、領域２上でプロトコルタイトルの選択を受け付けると（ステップＳ２０８）、領域３に、ステップＳ２０８で選択されたプロトコルタイトルに含まれるスキャン群（プロトコル群）の一覧を表示する（ステップＳ２０９）。
【００６０】
次に、プロトコル選択部２４０ａは、領域３上で１つ又は複数のプロトコルの選択を受け付け（ステップＳ２１０）、続いて、追加ボタン若しくは置換ボタンの押下を受け付ける（ステップＳ２１１）。例えば、操作者は、領域３に表示されたプロトコル群の一覧の中から、ダウンロードを希望するプロトコルを１つ又は複数選択し、追加ボタン若しくは置換ボタンを押下する。
【００６１】
すると、ＭＲＩ装置１００のデータ送受信部１３３ｃは、該当するプロトコルのプロトコル情報をダウンロード用一時フォルダ１３２ｂから読み出して、モバイル端末２００に送信する（ステップＳ２１２）。すると、モバイル端末２００のデータ送受信部２４０ｂは、ＭＲＩ装置１００から送信されたプロトコル情報を受信し、ステップＳ２１１で追加ボタンが押下されていた場合には、受信したプロトコル情報を、プロトコル群格納フォルダ２３０ａに追加登録する（ステップＳ２１３）。この場合、プロトコル情報の新旧は、例えば、プロトコル情報に付帯された撮像時刻や格納時刻の情報で判定し、ソートすることができる。一方、ステップＳ２１１で置換ボタンが押下されていた場合には、データ送受信部２４０ｂは、受信したプロトコル情報を、プロトコル群格納フォルダ２３０ａに上書き登録する（ステップＳ２１３）。
【００６２】
なお、上述したプロトコル選択画面は、ＭＲＩ装置１００からモバイル端末２００にプロトコル情報をダウンロードする場合のみならず、モバイル端末２００のプロトコル群格納フォルダ２３０ａに格納されたプロトコル群を確認するＧＵＩとしても、用いることができる。即ち、操作者は、ダウンロードしたプロトコル情報を、いつでも任意に参照することが可能である。ここで、上述したように、各プロトコルには、各プロトコルの属性情報として、ＭＲＩ装置１００のタイプ、ソフトウェアのバージョン、ＲＦコイルの情報、プロトコルが設定された施設名等が付帯されている。このため、操作者は、これらの属性情報を利用して、プロトコル選択画面上での表示方法を変更する（例えば、ソートする）等、目的のプロトコルを更に検索し易くすることができる。
【００６３】
（アップロード）
図７は、第１の実施形態におけるプロトコル情報のアップロード手順を示すシーケンス図である。図７に示すように、まず、モバイル端末２００のデータ送受信部２４０ｂが、無線ＬＡＮインタフェース２４０ｃを介して、ＭＲＩ装置１００に対する接続要求を行う（ステップＳ３０１）。続いて、ＭＲＩ装置１００のデータ送受信部１３３ｃは、セキュリティ上の観点から、接続要求を受け付けたモバイル端末２００の正当性の認証を行う（ステップＳ３０２）。
【００６４】
そして、データ送受信部１３３ｃは、モバイル端末２００の認証に成功すると、モバイル端末２００に対して、ＭＲＩ装置１００の属性情報をモバイル端末２００に送信する（ステップＳ３０３）。属性情報とは、例えば、ＭＲＩ装置１００のタイプ、ソフトウェアのバージョン、このＭＲＩ装置１００が備えるＲＦコイルの情報、このＭＲＩ装置１００が据え付けられている施設名等である。データ送受信部１３３ｃは、このうちの１つ又は複数を送信する。
【００６５】
図８は、第１の実施形態におけるＲＦコイルリストを説明するための図である。例えば、データ送受信部１３３ｃは、ＲＦコイルの情報として、図８に示すようなＲＦコイルリストを送信する。図８に示す例では、ＭＲＩ装置１００が、１６ｃｈのホールボディコイル、３２ｃｈのホールボディコイル、頭部コイル、脊椎コイル等を利用可能であることを示す。
【００６６】
一方、モバイル端末２００のプロトコル選択部２４０ａは、ＭＲＩ装置１００の属性情報をＭＲＩ装置１００から受信すると（ステップＳ３０４）、このＭＲＩ装置１００に適合しないプロトコル情報を送信しないよう、アップロード対象のプロトコルを絞り込んだ上で、プロトコル選択画面を表示部２２０に表示する（ステップＳ３０５）。
【００６７】
例えば、プロトコル選択部２４０ａは、プロトコル群格納フォルダ２３０ａに格納されたプロトコル群について、プロトコルの属性情報を参照し、各プロトコルが適合するＭＲＩ装置１００のタイプや、ソフトウェアのバージョンを判定する。そして、プロトコル選択部２４０ａは、アップロード先のＭＲＩ装置１００に適合しないプロトコルについては、プロトコル選択画面に表示しないように制御する。また、例えば、プロトコル選択部２４０ａは、各プロトコルの属性情報から、各プロトコルが要求するＲＦコイルのタイプを判定し、ＭＲＩ装置１００から受信したＲＦコイルリストに、該当するタイプのＲＦコイルが掲載されていない場合には（例えば、パラレルイメージング用の頭部コイルが掲載されていない等）、このプロトコルをプロトコル選択画面に表示しないように制御する。
【００６８】
その後、プロトコル選択部２４０ａは、領域１上で撮像部位の選択を受け付けると（ステップＳ３０６）、領域２に、ステップＳ３０６で選択された撮像部位のグループに含まれるプロトコルタイトルの一覧を表示する（ステップＳ３０７）。続いて、プロトコル選択部２４０ａは、領域２上でプロトコルタイトルの選択を受け付けると（ステップＳ３０８）、領域３に、ステップＳ３０８で選択されたプロトコルタイトルに含まれるスキャン群（プロトコル群）の一覧を表示する（ステップＳ３０９）。
【００６９】
次に、プロトコル選択部２４０ａは、領域３上で１つ又は複数のプロトコルの選択を受け付け（ステップＳ３１０）、続いて、転送ボタンの押下を受け付ける（ステップＳ３１１）。
【００７０】
すると、モバイル端末２００のデータ送受信部２４０ｂは、該当するプロトコルのプロトコル情報をプロトコル群格納フォルダ２３０ａから読み出して、ＭＲＩ装置１００に送信する（ステップＳ３１２）。一方、ＭＲＩ装置１００のデータ送受信部１３３ｃは、モバイル端末２００から送信されたプロトコル情報を受信し、アップロード用一時フォルダ１３２ｃにこれらを格納する（ステップＳ３１３）。
【００７１】
以上、図７及び図８を用いて、モバイル端末２００から、アップロード用一時フォルダ１３２ｃにプロトコル情報を格納するまでを説明した。続いて、ＭＲＩ装置１００側においては、インポートが行われる。ここで、インポートは、プロトコル情報のデータ形式を実行形式に変換した上で、プロトコル群記憶部１３２ａに組み入れることをいう。
【００７２】
図９は、第１の実施形態におけるプロトコル情報のインポート手順を示すシーケンス図である。図９に示すように、ＭＲＩ装置１００のプロトコル選択部１３３ａは、どのプロトコル情報をインポートするかを操作者に選択させるためのＧＵＩとして、インポート画面を、ＭＲＩ装置１００の表示部１３５に表示する（ステップＳ４０１）。プロトコル選択部１３３ａは、アップロード用一時フォルダ１３２ｃに記憶されているプロトコル群に対する選択を、このインポート画面を介して、操作者から受け付ける。
【００７３】
図１０は、第１の実施形態におけるインポート画面を説明するための図である。例えば、図１０に示すように、インポート画面には、インポートメディアの選択を受け付けるプルダウンメニューと、インポートモードの選択を受け付けるチェックボタンと、撮像部位の選択を受け付けるプルダウンメニューと、プロトコルタイトルの選択を受け付ける領域と、プロトコルの選択を受け付ける領域とが含まれる。
【００７４】
プロトコル選択部１３３ａは、インポートメディアの選択（図１０において「スマートフォン」）を受け付け（ステップＳ４０２）、続いて、撮像部位の選択を受け付ける（例えば、図１０において「ＡＬＬ」から「胸部」に選択が変更される）（ステップＳ４０３）。すると、プロトコル選択部１３３ａは、ステップＳ４０３で選択された撮像部位のグループに含まれるプロトコルタイトルの一覧を表示する（ステップＳ４０４）。
【００７５】
続いて、プロトコル選択部１３３ａは、プロトコルタイトルの選択を受け付けると（ステップＳ４０５）、ステップＳ４０５で選択されたプロトコルタイトルに含まれるスキャン群（プロトコル群）の一覧を表示する（ステップＳ４０６）。
【００７６】
次に、プロトコル選択部１３３ａは、１つ又は複数のプロトコルの選択を受け付け（ステップＳ４０７）、続いて、インポートボタンの押下を受け付ける（ステップＳ４０８）。すると、データ形式変換部１３３ｂは、該当するプロトコルのプロトコル情報をアップロード用一時フォルダ１３２ｃから読み出して、そのデータ形式をテキスト形式から実行形式に変換する（ステップＳ４０９）。そして、データ形式変換部１３３ｂは、実行形式に変換後のプロトコル情報を、プロトコル群記憶部１３２ａに格納する（ステップＳ４１０）。
【００７７】
インポートモードで「追加」が選択されていた場合には、データ形式変換部１３３ｂは、プロトコル情報を、プロトコル群記憶部１３２ａに追加登録する。一方、インポートモードで「置換」が選択されていた場合には、データ形式変換部１３３ｂは、プロトコル情報を、プロトコル群記憶部１３２ａに上書き登録する。
【００７８】
こうして、プロトコル群記憶部１３２ａに格納されたプロトコルは、プロトコル群記憶部１３２ａに元々記憶されていたプロトコルと一体のものとして管理されることになり、例えば、プロトコル選択画面においては、両者の区別なく表示される。もっとも、プロトコルに付帯された属性情報（例えば、プロトコルが設定された施設名）によってソートすることも可能である。
【００７９】
更に、上述した実施形態においては、モバイル端末２００からアップロードしたプロトコル情報を、プロトコル群記憶部１３２ａにインポートする例を説明したが、実施形態はこれに限られるものではない。例えば、プロトコル選択部１３３ａは、プロトコル群記憶部１３２ａに記憶されているプロトコル群と、アップロード用一時フォルダ１３２ｃに記憶されているプロトコル群とを、あたかも一体のプロトコル群であるかのように扱って、プロトコル選択画面を表示してもよい。この場合、モバイル端末２００に格納されたプロトコル情報は、ＭＲＩ装置１００に登録されることはないが、例えば、一時的な利用（撮像計画において、撮像条件の設定情報をコピーしたい場合等）にのみ、提供される。言い換えると、操作者は、モバイル端末２００を、あたかもＭＲＩ装置１００の記憶部の一部であるかのように、取り扱うことができる。
【００８０】
上述してきたように、第１の実施形態によれば、従来ＭＲＩ装置１００内に管理されていたプロトコル情報を、自由に持ち運ぶことが可能になる。
【００８１】
即ち、第１の実施形態によれば、ＭＲＩ装置１００に格納されているプロトコル情報を、モバイル端末２００によって持ち出すことができ、また、持ち出したプロトコル情報を、ＭＲＩ装置１００に登録することができる。例えば、技師等の操作者は、医療機関ＡのＭＲＩ装置１００に格納されている、自らのオリジナルのプロトコル情報を、自らのモバイル端末２００によって持ち出し、医療機関ＢのＭＲＩ装置１００に登録することができる。即ち、操作者は、自身にとって最良の撮像条件の設定情報を、自身のモバイル端末２００に保存し、管理し、持ち運ぶことができる。この結果、従来であれば、施設毎に、撮像条件を最良の値に変更しながら撮像計画を行っていたので、撮像計画に多くの時間を要していたが、第１の実施形態によれば、この時間を短縮することが可能になる。
【００８２】
また、第１の実施形態によれば、アップロード時に、ＭＲＩ装置１００の属性情報と、プロトコル情報に付帯されたプロトコルの属性情報とを照合して、アップロード先のＭＲＩ装置１００に適合しないプロトコル情報を送信しないよう、アップロード対象のプロトコルを制限する。この結果、そのＭＲＩ装置１００では使用できない撮像条件を、誤ってＭＲＩ装置１００内に取り込むことを防止することができる。
【００８３】
また、モバイル端末２００上では、プロトコルの属性情報や、プロトコルの格納時刻情報等を用いて、プロトコル群を適宜ソートすることも可能であるので、操作者は、プロトコルの検索や利用が容易になる。
【００８４】
（他の実施形態）
実施形態は、上述した実施形態に限られるものではない。
【００８５】
（アップロード対象のプロトコルの制限）
上述した実施形態においては、モバイル端末２００側において、アップロード先のＭＲＩ装置１００に適合しないプロトコルについては、プロトコル選択画面に表示しないように制御することで、アップロード対象のプロトコルを制限する手法を説明した。しかしながら、実施形態はこれに限られるものではない。例えば、プロトコル選択部２４０ａは、プロトコル選択画面に表示しないように制御する替わりに、何らかの通知情報を表示してもよい。例えば、プロトコル選択部２４０ａは、「アップロード先のＭＲＩ装置で使用できないプロトコルです。」「アップロード先のＭＲＩ装置で使用できるプロトコルです。」といった通知情報を、モバイル端末２００の表示部２２０に表示してもよい。また、例えば、プロトコル選択部２４０ａは、アップロード先のＭＲＩ装置で使用できないプロトコルを強調表示してもよい。また、例えば、プロトコル選択部２４０ａは、転送ボタンが押下された段階で、転送しない、といった制御を行ってもよい。
【００８６】
なお、ＭＲＩ装置１００へのアップロードを許容した上で、その後、インポートや、撮像計画への組み込みを制限する手法でもよい。その制限も、上述したような非表示とする手法や、通知情報を表示する手法等、いずれを適用してもよい。
【００８７】
また、単にアップロード対象のプロトコルを制限するのではなく、代用の手法を講じてもよい。例えば、モバイル端末２００のプロトコル選択部２４０ａは、ＲＦコイルの代用関係（どのＲＦコイルを、どのＲＦコイルが代用できるか）を予め記憶しておく。この場合、プロトコル選択部２４０ａは、必要なＲＦコイルがＲＦコイルリストに掲載されていない場合には、ＲＦコイルの代用関係に基づいて、代用可能なＲＦコイルがＲＦコイルリストに掲載されているか否かを、更に判定する。あるいは、この判定を、ＭＲＩ装置１００側で行ってもよい。
【００８８】
（プロトコルの名称、プロトコルタイトル等）
また、上述した実施形態においては、プロトコルの名称や、プロトコルタイトルが、そのまま引き継がれる例を説明したが、実施形態はこれに限られるものではない。これらの情報は、ＭＲＩ装置１００においても、また、モバイル端末２００においても、操作者によって自由に編集することが可能である。
【００８９】
（通信インタフェース）
上述した実施形態においては、ＭＲＩ装置１００とモバイル端末２００とが、無線ＬＡＮインタフェースを介して通信可能に接続される例を説明したが、実施形態はこれに限られるものではない。ＵＳＢ（Universal  Serial  Bus）、赤外線、Bluetooth（登録商標）等、他のインタフェース経由でもよい。
【００９０】
（具体的な数値、処理の順序）
また、上述した実施形態において例示した具体的な数値や処理の順序は、原則として、一例に過ぎない。例えば、図３、図５、図７、図９に示した処理手順は、運用の形態に応じて任意に変更することが可能である。
【００９１】
（プログラム）
また、上述した実施形態の中で示した処理手順に示された指示は、ソフトウェアであるプログラムに基づいて実行されることが可能である。汎用コンピュータが、このプログラムを予め記憶しておき、このプログラムを読み込むことにより、上述した実施形態のＭＲＩ装置１００による効果と同様の効果を得ることも可能である。上述した実施形態で記述された指示は、コンピュータに実行させることのできるプログラムとして、磁気ディスク（フレキシブルディスク、ハードディスクなど）、光ディスク（ＣＤ−ＲＯＭ、ＣＤ−Ｒ、ＣＤ−ＲＷ、ＤＶＤ−ＲＯＭ、ＤＶＤ±Ｒ、ＤＶＤ±ＲＷなど）、半導体メモリ、又はこれに類する記録媒体に記録される。コンピュータ又は組み込みシステムが読み取り可能な記憶媒体であれば、その記憶形式は何れの形態であってもよい。コンピュータは、この記録媒体からプログラムを読み込み、このプログラムに基づいてプログラムに記述されている指示をＣＰＵで実行させれば、上述した実施形態のＭＲＩ装置１００と同様の動作を実現することができる。また、コンピュータがプログラムを取得する場合又は読み込む場合は、ネットワークを通じて取得又は読み込んでもよい。
【００９２】
以上述べた少なくとも一つの実施形態の磁気共鳴イメージングシステム、磁気共鳴イメージング装置及び携帯端末によれば、撮像条件の設定情報を携帯端末により持ち出すことができる。
【００９３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９４】
１００  ＭＲＩ装置
１３２  記憶部
１３２ａ  プロトコル群記憶部
１３２ｂ  ダウンロード用一時フォルダ
１３２ｃ  アップロード用一時フォルダ
１３３  制御部
１３３ａ  プロトコル選択部
１３３ｂ  データ形式変換部
１３３ｃ  データ送受信部
１３３ｄ  無線ＬＡＮインタフェース
２００  モバイル端末
２３０  記憶部
２３０ａ  プロトコル群格納フォルダ
２４０  制御部
２４０ａ  プロトコル選択部
２４０ｂ  データ送受信部
２４０ｃ  無線ＬＡＮインタフェース
【図１】
2014210081.tif 000003
【図２】
2014210081.tif 000004
【図３】
2014210081.tif 000005
【図４】
2014210081.tif 000006
【図５】
2014210081.tif 000007
【図６】
2014210081.tif 000008
【図７】
2014210081.tif 000009
【図８】
2014210081.tif 000010
【図９】
2014210081.tif 000011
【図１０】
2014210081.tif 000012